(57)【要約】【課題】  デュアルビュー表示において、視聴位置がずれても色の再現性の低下を防止するようにする。【解決手段】  カラーフィルター３０の１絵素をなすＲ，Ｇ，Ｂの三原色パターン３１を、パララックスバリヤの垂直な透光性スリットに合わせて縦方向に規則正しく配列されるようにし、ビュー切替えスイッチからのビュー切替え指示に基づき、液晶コントローラによる表示動作が制御ＣＰＵによって制御され、デュアルビュー表示が行われるとき、縦方向に配列された１絵素をなすＲ，Ｇ，Ｂの三原色パターン３１からの光が空間上の規定された領域からしか見えないようにすることができ、視聴位置が適正位置から右又は左にずれても三原色パターン３１のＲ，Ｇ，Ｂのいずれかの一部の欠落を無くすようにした。【選択図】  図２
2005077707.tif 000002
【特許請求の範囲】
【請求項１】
複数の画像データに基づいた映像のシングルビュー表示又はデュアルビュー表示が可能な表示手段と、
１絵素をなすＲ，Ｇ，Ｂの三原色パターンが縦方向に配列されたカラー表示手段と、
前記表示手段に対し、前記シングルビュー表示又はデュアルビュー表示を行わせる表示制御手段と、
外部からのビュー切替え指示に基づき、前記表示制御手段による表示動作を制御する制御手段とを備える
ことを特徴とする表示装置。
【請求項２】
前記表示手段は、
液晶層に印加される電界の強さに応じて透過する光の量を調節し、所望の映像を表示させる液晶表示パネルと、
不透明領域によって隔たれた垂直な透光性スリットを複数有し、前記液晶表示パネルに表示されるそれぞれ異なる映像が空間上の規定された領域からしか見えないようにする光学系分離手段とを備え、
前記カラー表示手段は、前記液晶表示パネルと前記光学系分離手段との間に設けられている
ことを特徴とする請求項１に記載の表示装置。
【請求項３】
前記表示手段は、
液晶層に印加される電界の強さに応じて透過する光の量を調節し、所望の映像を表示させる液晶表示パネルと、
液晶層を有し、その液晶層に印加される電界の強さに応じて複数の垂直なスリットが形成され、前記液晶表示パネルに表示されるそれぞれ異なる映像が空間上の規定された領域からしか見えないようにするスリット形成手段とを備え、
前記カラー表示手段は、前記液晶表示パネルと光学系分離手段との間に設けられている
ことを特徴とする請求項１に記載の表示装置。
【請求項４】
前記カラー表示手段の１絵素をなすＲ，Ｇ，Ｂの三原色パターンは、前記垂直な透光性スリットに合わせて縦方向に配列されていることを特徴とする請求項２に記載の表示装置。
【請求項５】
前記カラー表示手段の１絵素をなすＲ，Ｇ，Ｂの三原色パターンは、前記垂直なスリットに合わせて縦方向に配列されていることを特徴とする請求項３に記載の表示装置。
【請求項６】
各絵素間に空白部分が設けられていることを特徴とする請求項１〜５のいずれかに記載の表示装置。
【請求項７】
１絵素をなすＲ，Ｇ，Ｂの三原色パターンが縦方向に配列されてなることを特徴とするカラーフィルター。
【発明の詳細な説明】
【技術分野】
【０００１】
本発明は、液晶表示パネル等を用いて画像を表示する表示装置に係り、特にカラーフィルターを用いてカラー表示を行うとともに、デュアルビューの表示機能を有した表示装置に関するものである。
【背景技術】
【０００２】
液晶表示パネルは、二つの基板の間に注入されている異方性誘電率を有する液晶層を有し、その液晶層に印加する電界の強さを調節することで、基板を透過する光の量を調節し、所望の静止画像や動画像を表示させる表示器である。このような液晶表示パネルは、軽量化、薄型化、低消費電力化等に優れており、携帯電話、カーナビ、ＰＤＡ、パーソナルコンピュータ、テレビ受信機等の身近な機器に限らず、計測機器、医療機器、産業機器全般等の表示器として採用されている。
【０００３】
ここで、たとえばアクティブマトリクス型の液晶表示パネルの構造の一例について簡単に説明する。
【０００４】
図５に示すように、液晶表示パネルは、アクティブマトリクス基板１と対向基板２との間に液晶層３を挟んだ構成となっている。アクティブマトリクス基板１は、ガラス基板４上にマトリクス状に形成された絵素電極５と、これら絵素電極５の各々に接続される図示しないソースバスライン及びゲートバスラインと、少なくとも１個のＴＦＴ（薄膜トランジスタ）６とを備えている。ＴＦＴ６は、絵素駆動用スイッチング素子として機能しており、絵素電極５、ソースバスライン及びゲートバスラインに接続され、ソースバスラインより供給される画像信号と、ゲートバスラインより供給される走査信号によって線順次駆動される。
【０００５】
対向基板２には、ガラス基板７上に上記の絵素電極５と１対１に対応してＲ，Ｇ，Ｂの三原色パターン８を有するカラーフィルター９が形成され、各Ｒ，Ｇ，Ｂの三原色パターン８の間隙には図示しないブラックマトリクスが形成されている。また、このカラーフィルター９の上には、液晶駆動用の透明共通電極１０が形成されている。カラーフィルター９は、カラー表示を行わせるために用いられるものであって、その三原色パターン８が図６に示すように、規則正しく配列され、点線で囲った三原色パターン８が１絵素を構成している。
【０００６】
一方、このような液晶表示パネルは、テレビ受信における映像表示に限らず、ビデオ、ＣＤ、ＤＶＤ等のソース源からの画像データによる映像表示も可能であるが、通常、あるチャンネルの映像を表示していて、他のソース源からの映像表示を行う場合、入力ソースを切り替えるようにしている。ちなみに、マルチ表示機能を搭載した機器では、液晶表示パネルの表示エリアを複数に分割し、それぞれの表示エリアにあるチャンネルの映像と他のソース源からの映像とを表示させることは可能である。ただし、この場合には、それぞれの表示エリアに映し出される映像が同時に見えてしまうため、いずれかの表示エリアに映し出される映像を集中して見ることができないばかりか、それぞれの表示エリアが小さくなってしまうことから、それぞれの表示エリアに映し出される映像が小さくなってしまうという問題がある。
【０００７】
そこで、本出願人が提案した特許文献１に示されているデュアルビューディスプレイ技術を採用することで、表示エリアのサイズを変更することなく、あるチャンネルの映像と他のソース源からの映像とを同時に表示させることが可能となる。
【０００８】
つまり、このデュアルビューディスプレイ技術の基本原理は、図７に示すように、バックライト１１の前に位置する複数の画素ａ，ｂを有する液晶表示パネル１２の前面に、パララックスバリヤ（光学系分離素子）１４を配置している。パララックスバリヤ１４は、不透明領域によって隔たれた垂直な透光性スリット１３を複数有するスクリーンであり、液晶表示パネル１２の画素ａを透過したバックライト１１からの光が複数の透光性スリット１３を介して視聴者Ａ側に到達し、画素ｂを透過したバックライト１１からの光が複数の透光性スリット１３を介して視聴者Ｂ側に到達する。言い換えれば、液晶表示パネル１２に表示されるそれぞれ異なる映像の二つのビュー（デュアルビュー）は、パララックスバリヤ１４の複数の透光性スリット１３により、空間上の規定された領域からしか見えないようにしたものである。
【０００９】
なお、このようなデュアルビューディスプレイ技術は、上述したそれぞれ異なる映像を空間上の規定された領域からしか見えないようにした２次元（２Ｄ）表示に限らず、視聴者Ａ又はＢの両眼にそれぞれ異なる映像が見えるようにすることで、立体像を表示させることができる３次元（３Ｄ）表示にも用いることが可能である。
【特許文献１】特開２００３−１７７３５７号公報
【発明の開示】
【発明が解決しようとする課題】
【００１０】
ところで、特許文献１に示されたデュアルビューディスプレイ技術を用いて図６に示したカラーフィルター９によるカラー表示を行わせようとしたとき、視聴者Ａ，Ｂの視聴位置が適正であれば、図８（ａ）に示すように、カラーフィルター９のＲ，Ｇ，Ｂの三原色パターン８からなる１絵素からの光がパララックスバリヤ１４の透光性スリット１３を介して視聴者Ａに届き、同じくＲ，Ｇ，Ｂの三原色パターン８からなる１絵素からの光がパララックスバリヤ１４の透光性スリット１３を介して視聴者Ｂに届く。これにより、デュアルビュー表示においてもカラー表示が可能となる。なお、図８は、説明の便宜上、Ｒ，Ｇ，Ｂの三原色パターン８からなる１絵素のみに着目した場合を示している。
【００１１】
ところが、カラーフィルター９は、図６で説明したように、横並びのＲ，Ｇ，Ｂの三原色パターン８を１絵素としているため、液晶表示パネル１２に対して視聴者Ａ，Ｂの視聴位置がずれると、パララックスバリヤ１４の透光性スリット１３を介して得られる１絵素からの光の一部が欠落してしまう。このことは、パララックスバリヤ１４の透光性スリット１３とカラーフィルター９のＲ，Ｇ，Ｂの各三原色パターン８からなる１絵素との位置関係がずれることと等価な現象であり、具体的には、図８（ｂ）に示すように、Ｒ，Ｇ，Ｂのうち、たとえばＲの一部又は全てが欠落したり、図８（ｃ）に示すように、Ｒ，Ｇ，Ｂのうち、たとえばＢの一部又は全てが欠落したりする。このように、たとえばＲの一部又は全てが欠落したり、たとえばＢの一部又は全てが欠落したりすると、Ｒ，Ｇ，Ｂの三原色パターン８によって再現されている色が変化してしまうことになり、色の再現性の低下を招いてしまうことになる。具体的には、色の三属性である色相、明度、彩度のいずれか又は全てが低下してしまうことになる。
【００１２】
解決しようとする問題点は、デュアルビュー表示において、視聴位置がずれると、色の再現性の低下を招いてしまう点である。
【課題を解決するための手段】
【００１３】
本発明の表示装置は、複数の画像データに基づいた映像のシングルビュー表示又はデュアルビュー表示が可能な表示手段と、１絵素をなすＲ，Ｇ，Ｂの三原色パターンが縦方向に配列されたカラー表示手段と、表示手段に対し、シングルビュー表示又はデュアルビュー表示を行わせる表示制御手段と、外部からのビュー切替え指示に基づき、表示制御手段による表示動作を制御する制御手段とを備えることを特徴とする。
また、表示手段は、液晶層に印加される電界の強さに応じて透過する光の量を調節し、所望の映像を表示させる液晶表示パネルと、不透明領域によって隔たれた垂直な透光性スリットを複数有し、液晶表示パネルに表示されるそれぞれ異なる映像が空間上の規定された領域からしか見えないようにする光学系分離手段とを備え、カラー表示手段は、液晶表示パネルと光学系分離手段との間に設けられているようにすることができる。
また、表示手段は、液晶層に印加される電界の強さに応じて透過する光の量を調節し、所望の映像を表示させる液晶表示パネルと、液晶層を有し、その液晶層に印加される電界の強さに応じて複数の垂直なスリットが形成され、液晶表示パネルに表示されるそれぞれ異なる映像が空間上の規定された領域からしか見えないようにするスリット形成手段とを備え、カラー表示手段は、液晶表示パネルと光学系分離手段との間に設けられているようにすることができる。
また、カラー表示手段の１絵素をなすＲ，Ｇ，Ｂの三原色パターンは、垂直な透光性スリットに合わせて縦方向に配列されているようにすることができる。
また、カラー表示手段の１絵素をなすＲ，Ｇ，Ｂの三原色パターンは、垂直なスリットに合わせて縦方向に配列されているようにすることができる。
また、各絵素間に空白部分が設けられているようにすることができる。
本発明のカラーフィルターは、１絵素をなすＲ，Ｇ，Ｂの三原色パターンが縦方向に配列されてなることを特徴とする。
本発明に係る表示装置においては、外部からのビュー切替え指示に基づき、表示制御手段による表示動作が制御手段によって制御され、デュアルビュー表示が行われるとき、縦方向に配列された１絵素をなすＲ，Ｇ，Ｂの三原色パターンからの光が空間上の規定された領域からしか見えないようにすることができ、視聴位置が適正位置から右又は左にずれても三原色パターンのＲ，Ｇ，Ｂのいずれかの一部の欠落を無くすことができる。
【発明の効果】
【００１４】
本発明の表示装置は、デュアルビュー表示が行われるとき、縦方向に配列された１絵素をなすＲ，Ｇ，Ｂの三原色パターンからの光が空間上の規定された領域からしか見えないようにすることができ、視聴位置が適正位置から右又は左にずれても三原色パターンのＲ，Ｇ，Ｂのいずれかの一部の欠落を無くすようにしたので、色の再現性の低下を防止することができる。
【発明を実施するための最良の形態】
【００１５】
デュアルビュー表示において、視聴位置がずれることによる色の再現性の低下を抑制するために、カラーフィルターのＲ，Ｇ，Ｂの三原色パターンを、パララックスバリヤの垂直な透光性スリットに合わせて縦配列とした。
【００１６】
図１は、本発明の表示装置を液晶表示パネルを用いた液晶表示装置に適用した場合の一実施形態を説明するための図、図２は、図１のカラーフィルターのＲ，Ｇ，Ｂの三原色パターンの配列を説明するための図、図３は、図１のカラーフィルターによるカラー表示について説明するための図、図４は、図２のカラーフィルターのＲ，Ｇ，Ｂの三原色パターンの配列を変えた場合の他の実施形態を説明するための図である。
【００１７】
図１に示す液晶表示装置は、制御ＣＰＵ２０、液晶コントローラ２１、ゲートドライバ２２、ソースドライバ２３、表示器２６、ビュー切替えスイッチ２８、映像逆転切替えスイッチ２９を備えている。
【００１８】
制御手段としての制御ＣＰＵ２０は、ビュー切替えスイッチ２８の操作に応じて、第１画像データ及び第２画像データに基づいたデュアルビュー表示又は第１画像データ及び第２画像データのいずれか一方に基づいたシングルビュー表示を行わせるように、液晶コントローラ２１を制御する機能を有している。また、制御ＣＰＵ２０は、映像逆転切替えスイッチ２９の操作に応じて、第１画像データ及び第２画像データに基づいた映像が逆転するように、液晶コントローラ２１を制御する機能を有している。
【００１９】
ここで、第１画像データ及び第２画像データは、テレビ受信における画像データであってもよいし、ビデオ、ＣＤ、ＤＶＤ等を再生する再生機器であるソース源からの画像データのいずれであってもよい。また、デュアルビュー表示とは、第１画像データ及び第２画像データに基づいたそれぞれの映像を後述の液晶表示パネル２４に表示させ、図７で説明したように、それぞれ異なる映像を視聴者Ａ又はＢが視聴できるようにすることであり、シングルビュー表示とは第１画像データ及び第２画像データのいずれか一方に基づいた映像を後述の液晶表示パネル２４に表示させ、その映像を視聴者Ａ及びＢが視聴できるようにすることである。また、第１画像データ及び第２画像データに基づいた映像が逆転するとは、視聴者Ａが視聴している映像と視聴者Ｂが視聴している映像とを入れ替えて表示させることである。
【００２０】
表示制御手段としての液晶コントローラ２１は、上述した制御ＣＰＵ２０の制御により、液晶表示パネル２４の表示動作をコントロールする。表示動作をコントロールするに際しては、第１画像データ及び／又は第２画像データ等に基づき、ゲートドライバ２２及びソースドライバ２３を駆動させる。ゲートドライバ２２は、後述の液晶表示パネル２４の図示しない複数の画素を駆動させるための走査電圧を印加する。ソースドライバ２３は、後述の液晶表示パネル２４の図示しない複数の画素を駆動させるための書込み電圧を印加する。
【００２１】
表示器２６は、液晶表示パネル２４、パララックスバリヤ（光学系分離素子）２５及びカラーフィルター３０を備えている。ここで、液晶表示パネル２４、パララックスバリヤ２５は表示手段を構成し、カラーフィルター３０はカラー表示手段を構成している。また、パララックスバリヤ２５は光学系分離手段である。液晶表示パネル２４は、図示しない二つの基板の間に注入されている異方性誘電率を有する液晶層を有し、その液晶層に印加される電界の強さに応じて基板を透過する図示しないバックライトからの光の量を調節し、所望の映像を表示させる。光学系分離手段としてのパララックスバリヤ２５は、液晶表示パネル２の前面に重ね合わされるものであり、不透明領域によって隔たれた垂直な透光性スリット２５ａを複数有するスクリーンである。
【００２２】
ここで、上述したデュアルビュー表示を行わせる場合には、たとえば液晶表示パネル２４の隣り合う画素を第１画像データ又は第２画像データに応じて駆動させればよい。言い換えれば、隣り合う画素は、互いに異なる画像データに応じて駆動されることになる。なお、画素は１個おきに互いに異なる画像データに応じて駆動されるようにしてもよいし、２個おき、あるいは３個おき等のように複数個おきに駆動されるようにしてもよいことは勿論であるが、いずれにしてもパララックスバリヤ２５の透光性スリット２５ａの幅に応じて設定すればよい。
【００２３】
これにより、図７で説明したように、パララックスバリヤ２５の複数の透光性スリット２５ａを通して見える光が空間上の規定された領域からしか見えないことになるため、たとえば視聴者Ａは第１画像データに応じた映像のみを視聴することができ、視聴者Ｂは第２画像データに応じた映像のみを視聴することができる。なお、それぞれの映像に応じた音声は、図示しないスピーカから出力され、それぞれの視聴者Ａ，Ｂに混在して伝達されるが、たとえばそのスピーカを超指向性を有するものとすることで、それぞれの視聴者Ａ，Ｂにそれぞれの映像に応じた音声のみを伝達させることは可能である。
【００２４】
カラー表示手段としてのカラーフィルター３０は、図２に示すように、Ｒ，Ｇ，Ｂの三原色パターン３１が上述したパララックスバリヤ２５の垂直な透光性スリット２５ａに合わせて縦方向に規則正しく配列され、点線で囲った三原色パターン３１が１絵素を構成している。また、各絵素間には、空白部分３２が設けられている。このように、各絵素間に空白部分３２を設けることで、それぞれ異なる映像のダブリ部分の面積を減少させることができ、それぞれの映像を構成する画面のコントラスト等の向上が図れる。なお、各絵素間の空白部分３２は、ソフトウェアにより、それぞれの映像を構成する画面に境界を設ける場合にも用いることができる。なお、各Ｒ，Ｇ，Ｂの三原色パターン３１の間隙には、ブラックマトリクスを形成してもよいことは勿論である。
【００２５】
ビュー切替えスイッチ２８は、第１画像データ及び第２画像データに基づいたデュアルビュー表示又は第１画像データ及び第２画像データのいずれか一方に基づいたシングルビュー表示のいずれかを行わせる際に操作される。デュアルビュー表示又はシングルビュー表示の切り替えは、ビュー切替えスイッチ２８を押す毎に切り替わるようにすることができる。この場合、ビュー切替えスイッチ２８を押す毎に切り替わるような制御プログラムを図示しないＲＯＭ等の記憶媒体に格納しておき、制御ＣＰＵ２０によってその制御プログラムを読み込ませるようにすればよい。
【００２６】
映像逆転切替えスイッチ２９は、上述したように、視聴者Ａが視聴している映像と視聴者Ｂが視聴している映像とを入れ替えて表示させる際に操作される。映像逆転切替え表示は、映像逆転切替えスイッチ２９を押す毎に切り替わるようにすることができる。この場合、映像逆転切替えスイッチ２９を押す毎に切り替わるような制御プログラムを図示しないＲＯＭ等の記憶媒体に格納しておき、制御ＣＰＵ２０によってその制御プログラムを読み込ませるようにすればよい。
【００２７】
なお、制御ＣＰＵ２０によって読み込まれる制御プログラムを変更することで、ビュー切替えスイッチ２８により、デュアルビュー表示、シングルビュー表示、映像逆転切替え表示の３つのモードを選択させるようにすることも可能である。つまり、たとえばビュー切替えスイッチ２８の操作に応じてデュアルビュー表示とシングルビュー表示との切り替えが行われるようにし、デュアルビュー表示のときにビュー切替えスイッチ２８がたとえば数秒以上押された場合、映像の逆転表示が行われるようにすることができる。この場合、映像逆転切替えスイッチ２９を省くことができる。
【００２８】
次に、上述した構成の液晶表示装置におけるカラーフィルター３０によるカラー表示について説明する。
【００２９】
なお、以下の説明においては、上述した表示器２６が運転席と助手席から見える位置に設置され、さらにソース源がたとえばＤＶＤプレーヤとカーナビであって、第１画像データがＤＶＤプレーヤによって再生されるＤＶＤの再生映像のデータであり、第２画像データが地図再生映像のデータであるとする。また、視聴者Ａは助手席側に座り、視聴者Ｂは運転席側に座っているものとする。
【００３０】
まず、上述した液晶表示装置の基本動作について説明すると、ビュー切替えスイッチ２８の操作により、シングルビュー表示とデュアルビュー表示の切り替えを行うことができる。ここで、初期モードがシングルビュー表示であるとすると、ビュー切替えスイッチ２８が押されることにより、制御ＣＰＵ２０によってデュアルビュー表示への切り替え指示有りと判断される。
【００３１】
このとき、制御ＣＰＵ２０により、第１画像データ及び第２画像データに基づいたそれぞれの映像を液晶表示パネル２４に表示させるように液晶コントローラ２１が制御される。これにより、液晶コントローラ２１によってゲートドライバ２２及びソースドライバ２３の駆動がコントロールされ、上述したように、たとえば隣り合う画素が第１画像データ又は第２画像データに応じて駆動される。そして、それぞれの画素からの光がパララックスバリヤ２５の透光性スリット２５ａを通して視聴者Ａと視聴者Ｂに届くため、視聴者Ａ及び視聴者Ｂがそれぞれ異なる映像を視聴することができるデュアルビュー表示が行われる。ここで、視聴者Ａは第１画像データに基づいた映像を視聴し、視聴者Ｂは第２画像データに基づいた映像を視聴しているものとする。
【００３２】
さらに、このようなデュアルビュー表示において、映像逆転切替えスイッチ２９の操作により、映像逆転の切り替えを行うことができる。すなわち、映像逆転切替えスイッチ２９が操作されると、制御ＣＰＵ２０による制御により、液晶コントローラ２１が第１画像データ及び第２画像データに基づいたそれぞれの映像を液晶表示パネル２４に逆転表示させる。
【００３３】
ここで、図２に示したカラーフィルター３０のＲ，Ｇ，Ｂの各三原色パターン３１のうち、１絵素のみに着目すると、液晶表示パネル２４に対して視聴者Ａ，Ｂの視聴位置が適正である場合、図３（ａ）に示すように、パララックスバリヤ２５の透光性スリット２５ａを介して得られる１絵素からの光が欠落することなしに、視聴者Ａ，Ｂに届くことになる。これにより、デュアルビュー表示においては、視聴者Ａは第１画像データに基づいた映像を、視聴者Ｂは第２画像データに基づいた映像をそれぞれ色の再現性の低下を招くことなく視聴することができる。ここで、色の再現性とは、色の三属性である色相、明度、彩度のいずれか又は全てをいう。
【００３４】
一方、液晶表示パネル２４に対して視聴者Ａ，Ｂの視聴位置が適正位置から右又は左にずれると、図３（ｂ）又は（ｃ）のように、パララックスバリヤ２５の透光性スリット２５ａとカラーフィルター３０のＲ，Ｇ，Ｂの各三原色パターン３１からなる１絵素との位置関係がずれることと等価な現象により、１絵素からの光の一部が欠落する。この場合、三原色パターン３１のＲ，Ｇ，Ｂの一部がそれぞれ均等に欠落することになるため、デュアルビュー表示においては、視聴者Ａは第１画像データに基づいた映像を、視聴者Ｂは第２画像データに基づいた映像をそれぞれ色の再現性の低下を招くことなく視聴することができる。
【００３５】
なお、図３（ａ）〜（ｃ）では、パララックスバリヤ２５の透光性スリット２５ａに対し、Ｒ，Ｇ，Ｂの各三原色パターン３１からなる１絵素が対応している場合について説明したが、横方向に２絵素又は３絵素等のように複数の絵素が対応してもよいことは勿論である。いずれにしてもパララックスバリヤ２５の透光性スリット２５ａの幅に応じて設定すればよい。
【００３６】
このように、本実施形態では、カラーフィルター３０の１絵素をなすＲ，Ｇ，Ｂの三原色パターン３１を、パララックスバリヤ２５の垂直な透光性スリット２５ａに合わせて縦方向に規則正しく配列されるようにし、ビュー切替えスイッチ２８からのビュー切替え指示に基づき、液晶コントローラ２１による表示動作が制御ＣＰＵ２０によって制御され、デュアルビュー表示が行われるとき、縦方向に配列された１絵素をなすＲ，Ｇ，Ｂの三原色パターン３１からの光が空間上の規定された領域からしか見えないようにすることができ、視聴位置が適正位置から右又は左にずれても三原色パターン３１のＲ，Ｇ，Ｂのいずれかの一部の欠落を無くすようにしたので、色の再現性の低下を防止することができる。
【００３７】
なお、本実施形態では、図２に示したカラーフィルター３０ように、各絵素間に空白部分３２を１個設けた場合について説明したが、この例に限らず、その空白部分３２は２個以上であってもよい。さらには、図４に示すように、空白部分３２を設けずに、Ｒ，Ｇ，Ｂの三原色パターン３１を縦方向に規則正しく配列させてもよい。いずれにしても、上述したパララックスバリヤ２５の垂直な透光性スリット２５ａに合わせて縦方向に規則正しく配列されればよい。
【００３８】
また、本実施形態では、デュアルビュー表示を行わせるために、複数の透光性スリット２５ａを有するパララックスバリヤ２５を用いた場合について説明したが、この例に限らず、液晶表示パネル２４のような液晶層を有し、その液晶層に印加される電界の強さに応じて複数の垂直なスリットが形成されるスリット形成手段を用いてもよい。この場合、デュアルビュー表示の場合には、複数の垂直なスリットを出現させ、シングルビュー表示の場合には複数の垂直なスリットを消すようにすればよい。
【産業上の利用可能性】
【００３９】
平面パネル型の液晶表示装置に限らず、ブラウン管型の表示装置に適用可能である。また、平面パネル型としては、液晶表示パネル２４に限らず、プラズマ・ディスプレイ（Plasma Display Panel） や、有機ＥＬ（Erectronic Luminescence）ディスプレイにも適用可能である。また、カーナビに限らず、デュアルビュー表示が可能な表示器２６を搭載している機器であればよく、携帯電話、ＰＤＡ、パーソナルコンピュータ、テレビ受信機等の身近な機器に限らず、計測機器、医療機器、産業機器全般等にも適用可能である。また、２次元（２Ｄ）表示に限らず、視聴者Ａ又はＢの両眼にそれぞれ異なる映像が見えるようにすることで、立体像を表示させることができる３次元（３Ｄ）表示にも適用可能である。
【図面の簡単な説明】
【００４０】
【図１】本発明の表示装置を液晶表示パネルを用いた液晶表示装置に適用した場合の一実施形態を説明するための図である。
【図２】図１のカラーフィルターのＲ，Ｇ，Ｂの三原色パターンの配列を説明するための図である。
【図３】図１のカラーフィルターによるカラー表示について説明するための図である。
【図４】図２のカラーフィルターのＲ，Ｇ，Ｂの三原色パターンの配列を変えた場合の他の実施形態を示す図である。
【図５】従来のアクティブマトリクス型の液晶表示パネルの構造の一例を示す図である。
【図６】図５のカラーフィルターを説明するための図である。
【図７】従来のデュアルビュー表示の原理を説明するための図である。
【図８】図７のデュアルビューディスプレイ技術を用いてカラー表示を行わせた場合を説明するための図である。
【符号の説明】
【００４１】
２０  制御ＣＰＵ
２１  液晶コントローラ
２４  液晶表示パネル
２５  パララックスバリヤ
２５ａ  透光性スリット
２６  表示器
３０  カラーフィルター
３１  三原色パターン
【図１】
2005077707.tif 000003
【図２】
2005077707.tif 000004
【図３】
2005077707.tif 000005
【図４】
2005077707.tif 000006
【図５】
2005077707.tif 000007
【図６】
2005077707.tif 000008
【図７】
2005077707.tif 000009
【図８】
2005077707.tif 000010